(57)【要約】【課題】移動局ＵＥの緊急呼発信処理において、移動局ＵＥの測位処理に必要な時間を低減する。【解決手段】本発明に係る移動通信方法は、ノードＧＭＬＣ・ＬＲＦが、受信した移動局ＵＥの測位要求信号に含まれる移動局ＵＥの測位能力情報及びノードＨＳＳに記憶されている移動局ＵＥのＣ-Ｐｌａｎｅ能力に基づいて、Ｃ-Ｐｌａｎｅを用いた測位方式又はＳＵＰＬ測位方式のどちらによって、移動局ＵＥの測位処理を行うべきかについて決定する工程を有する。【選択図】図５
2011045038.tif 000002
【特許請求の範囲】
【請求項１】
移動局の位置登録処理において、加入者情報管理ノードに、該移動局のコントロールプレーン能力を記憶する工程と、
前記移動局の緊急呼発信処理において、該移動局が、緊急呼制御ノードに対して、該移動局がユーザプレーンを用いた測位方式に対応しているか否かについて示す該移動局の測位能力情報を含む緊急呼発信信号を送信する工程と、
前記移動局の緊急呼発信処理において、前記緊急呼制御ノードが、測位処理ノードに対して、該移動局の測位能力情報を含む該移動局の測位要求信号を送信する工程と、
前記測位処理ノードが、受信した前記移動局の測位要求信号に応じて、該移動局の測位能力情報及び前記加入者情報管理ノードに記憶されている該移動局のコントロールプレーン能力に基づいて、コントロールプレーンを用いた測位方式又はユーザプレーンを用いた測位方式のどちらによって、該移動局の測位処理を行うべきかについて決定する工程Ｃとを有することを特徴とする移動通信方法。
【請求項２】
移動局の緊急呼発信処理において、該移動局が、緊急呼制御ノードに対して、該移動局がユーザプレーンを用いた測位方式に対応しているか否かについて示す該移動局のコントロールプレーン能力を含む測位能力情報を含む緊急呼発信信号を送信する工程と、
前記移動局の緊急呼発信処理において、前記緊急呼制御ノードが、測位処理ノードに対して、該移動局のコントロールプレーン能力を含む測位能力情報を含む該移動局の測位要求信号を送信する工程と、
前記測位処理ノードが、受信した前記移動局の測位要求信号に応じて、該移動局の測位能力情報に基づいて、コントロールプレーンを用いた測位方式又はユーザプレーンを用いた測位方式のどちらによって、該移動局の測位処理を行うべきかについて決定する工程とを有することを特徴とする移動通信方法。
【請求項３】
位置登録処理において、加入者情報管理ノードに、自局のコントロールプレーン能力を記憶するように構成されている位置登録処理部と、
緊急呼発信処理において、緊急呼制御ノードに対して、自局がユーザプレーンを用いた測位方式に対応しているか否かについて示す自局の測位能力情報を通知するように構成されている緊急呼発信処理部と、
測位処理ノードからの指示に基づいて、コントロールプレーンを用いた測位方式による自局の測位処理或いはユーザプレーンを用いた測位方式による自局の測位処理に必要な処理を行うように構成されている測位処理部とを具備することを特徴とする移動局。
【請求項４】
緊急呼発信処理において、緊急呼制御ノードに対して、自局がユーザプレーンを用いた測位方式に対応しているか否かについて示す自局のコントロールプレーン能力を含む測位能力情報を通知するように構成されている緊急呼発信処理部と、
測位処理ノードからの指示に基づいて、コントロールプレーンを用いた測位方式による自局の測位処理或いはユーザプレーンを用いた測位方式による自局の測位処理に必要な処理を行うように構成されている測位処理部とを具備することを特徴とする移動局。
【請求項５】
移動局の緊急呼発信処理において、該移動局がユーザプレーンを用いた測位方式に対応しているか否かについて示す該移動局の測位能力情報を含む該移動局の測位要求信号を受信するように構成されている受信部と、
受信した前記移動局の測位要求信号に応じて、該移動局の測位能力情報及び加入者情報管理ノードに記憶されている該移動局のコントロールプレーン能力に基づいて、コントロールプレーンを用いた測位方式又はユーザプレーンを用いた測位方式のどちらによって、該移動局の測位処理を行うべきかについて決定するように構成されている決定部とを具備することを特徴とする測位処理ノード。
【請求項６】
移動局の緊急呼発信処理において、該移動局がユーザプレーンを用いた測位方式に対応しているか否かについて示す該移動局のコントロールプレーン能力を含む測位能力情報を含む該移動局の測位要求信号を受信するように構成されている受信部と、
受信した前記移動局の測位要求信号に応じて、該移動局の測位能力情報に基づいて、コントロールプレーンを用いた測位方式又はユーザプレーンを用いた測位方式のどちらによって、該移動局の測位処理を行うべきかについて決定するように構成されている決定部とを具備することを特徴とする測位処理ノード。
【請求項７】
移動局の緊急呼発信処理において、該移動局から、該移動局がユーザプレーンを用いた測位方式に対応しているか否かについて示す該移動局の測位能力情報を含む緊急呼発信信号を受信するように構成されている受信部と、
前記移動局の緊急呼発信処理において、測位処理ノードに対して、該移動局の測位能力情報を含む該移動局の測位要求信号を送信するように構成されている送信部とを具備することを特徴とする緊急呼制御ノード。
【請求項８】
移動局の緊急呼発信処理において、該移動局から、該移動局がユーザプレーンを用いた測位方式に対応しているか否かについて示す該移動局のコントロールプレーン能力を含む測位能力情報を含む緊急呼発信信号を受信するように構成されている受信部と、
前記移動局の緊急呼発信処理において、測位処理ノードに対して、該移動局のコントロールプレーン能力を含む測位能力情報を含む該移動局の測位要求信号を送信するように構成されている送信部とを具備することを特徴とする緊急呼制御ノード。
【発明の詳細な説明】
【技術分野】
【０００１】
本発明は、移動通信方法、移動局、測位処理ノード及び緊急呼制御ノードに関する。
【背景技術】
【０００２】
図１６に示すように、３ＧＰＰで規定されているＥ-ＵＴＲＡＮ（Ｅｖｏｌｖｅｄ  ＵＴＲＡＮ）方式の移動通信システムでは、第１に、移動局ＵＥは、ＩＭＳ（ＩＰ  Ｍｕｌｔｉｍｅｄｉａ  Ｓｕｂｓｙｓｔｅｍ）内のノードＰ-ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）に対して、緊急呼発信信号を送信し、ノードＰ-ＣＳＣＦが、ノードＥ-ＣＳＣＦ（Ｅｍｅｒｇｅｎｃｙ  Ｃａｌｌ  Ｓｅｓｓｉｏｎ  Ｃｏｎｔｒｏｌ  Ｆｕｎｃｔｉｏｎ）に対して、かかる緊急呼発信信号を送信する。
【０００３】
第２に、ノードＥ-ＣＳＣＦは、受信した緊急呼発信信号に応じて、ＬＣＳ（Ｌｏｃａｔｉｏｎ  Ｓｅｒｖｉｃｅｓ）クライアントとして、ノードＧＭＬＣ/ＬＲＦ（Ｇａｔｅｗａｙ  Ｍｏｂｉｌｅ  Ｌｏｃａｔｉｏｎ  Ｃｅｎｔｅｒ/Ｌｏｃａｔｉｏｎ  Ｒｅｔｒｉｅｖａｌ  Ｆｕｎｃｔｉｏｎ）に対して、移動局ＵＥの測位要求信号を送信する。
【０００４】
第３に、ノードＧＭＬＣ/ＬＲＦは、オペレータポリシーに従って、Ｃ-Ｐｌａｎｅを用いた測位方式（ＬＣＳ測位方式）又はＳＵＰＬ（Ｓｅｒｖｉｃｅ  Ｕｓｅｒ  Ｐｌａｎｅ  Ｌｏｃａｔｉｏｎ）測位方式のどちらによって、移動局ＵＥの測位処理を行うべきかについて決定する。
【０００５】
また、図１７に示すように、かかるＥ-ＵＴＲＡＮ方式の移動通信システムでは、第１に、ローミング中の移動局ＵＥは、ノードＰ-ＣＳＣＦに対して、緊急呼発信信号を送信し、ノードＰ-ＣＳＣＦが、ノードＥ-ＣＳＣＦに対して、かかる緊急呼発信信号を送信する。
【０００６】
第２に、ノードＥ-ＣＳＣＦは、受信した緊急呼発信信号に応じて、ＬＣＳクライアントとして、ノードＶ-ＧＭＬＣ/ＬＲＦ（Ｖｉｓｉｔｅｄ-ＧＭＬＣ/ＬＲＦ）に対して、移動局ＵＥの測位要求信号を送信する。
【０００７】
第３に、ノードＶ-ＧＭＬＣ/ＬＲＦは、自身が保持するポリシーに基づき、Ｃ-Ｐｌａｎｅを用いた測位方式又はＳＵＰＬ測位方式のどちらによって、移動局ＵＥの測位処理を行うべきかについて決定する。
【先行技術文献】
【非特許文献】
【０００８】
【非特許文献１】３ＧＰＰ  ＴＳ２３.２７１  ｖ９.０.０
【非特許文献２】３ＧＰＰ  ＴＳ２４.２２０  ｖ９.０.０
【非特許文献３】ＯＭＡ-ＡＤ-ＳＵＰＬ-Ｖ２_０-２００９０４０２-Ｄ：Ｓｅｃｕｒｅ  Ｕｓｅｒ  Ｐｌａｎｅ  Ｌｏｃａｔｉｏｎ  Ａｒｃｈｉｔｅｃｔｕｒｅ
【発明の概要】
【発明が解決しようとする課題】
【０００９】
しかしながら、従来のＥ-ＵＴＲＡＮ方式の移動通信システムでは、移動局ＵＥの緊急呼発信処理において、ノードＧＭＬＣ/ＬＲＦが、移動局ＵＥが、Ｃ-Ｐｌａｎｅを用いた測位方式又はＳＵＰＬ測位方式のいずれに対応しているのかについて知ることができないため、移動局ＵＥごとに正しい測位方式を選択することができず、測位処理が完了するまでに要する時間が長くなってしまうという問題点があった。
【００１０】
そこで、本発明は、上述の課題に鑑みてなされたものであり、移動局の緊急呼発信処理において、移動局の測位処理に必要な時間を低減することができる移動通信方法、移動局、測位処理ノード及び緊急呼制御ノードを提供することを目的とする。
【課題を解決するための手段】
【００１１】
本発明の第１の特徴は、移動通信方法であって、移動局の位置登録処理において、加入者情報管理ノードに、該移動局のコントロールプレーン能力を記憶する工程と、前記移動局の緊急呼発信処理において、該移動局が、緊急呼制御ノードに対して、該移動局がユーザプレーンを用いた測位方式に対応しているか否かについて示す該移動局の測位能力情報を含む緊急呼発信信号を送信する工程と、前記移動局の緊急呼発信処理において、前記緊急呼制御ノードが、測位処理ノードに対して、該移動局の測位能力情報を含む該移動局の測位要求信号を送信する工程と、前記測位処理ノードが、受信した前記移動局の測位要求信号に応じて、該移動局の測位能力情報及び前記加入者情報管理ノードに記憶されている該移動局のコントロールプレーン能力に基づいて、コントロールプレーンを用いた測位方式又はユーザプレーンを用いた測位方式のどちらによって、該移動局の測位処理を行うべきかについて決定する工程Ｃとを有することを要旨とする。
【００１２】
本発明の第２の特徴は、移動通信方法であって、移動局の緊急呼発信処理において、該移動局が、緊急呼制御ノードに対して、該移動局がユーザプレーンを用いた測位方式に対応しているか否かについて示す該移動局のコントロールプレーン能力を含む測位能力情報を含む緊急呼発信信号を送信する工程と、前記移動局の緊急呼発信処理において、前記緊急呼制御ノードが、測位処理ノードに対して、該移動局のコントロールプレーン能力を含む測位能力情報を含む該移動局の測位要求信号を送信する工程と、前記測位処理ノードが、受信した前記移動局の測位要求信号に応じて、該移動局の測位能力情報に基づいて、コントロールプレーンを用いた測位方式又はユーザプレーンを用いた測位方式のどちらによって、該移動局の測位処理を行うべきかについて決定する工程とを有することを要旨とする。
【００１３】
本発明の第３の特徴は、移動局であって、位置登録処理において、加入者情報管理ノードに、自局のコントロールプレーン能力を記憶するように構成されている位置登録処理部と、緊急呼発信処理において、緊急呼制御ノードに対して、自局がユーザプレーンを用いた測位方式に対応しているか否かについて示す自局の測位能力情報を通知するように構成されている緊急呼発信処理部と、測位処理ノードからの指示に基づいて、コントロールプレーンを用いた測位方式による自局の測位処理或いはユーザプレーンを用いた測位方式による自局の測位処理に必要な処理を行うように構成されている測位処理部とを具備することを要旨とする。
【００１４】
本発明の第４の特徴は、移動局であって、緊急呼発信処理において、緊急呼制御ノードに対して、自局がユーザプレーンを用いた測位方式に対応しているか否かについて示す自局のコントロールプレーン能力を含む測位能力情報を通知するように構成されている緊急呼発信処理部と、測位処理ノードからの指示に基づいて、コントロールプレーンを用いた測位方式による自局の測位処理或いはユーザプレーンを用いた測位方式による自局の測位処理に必要な処理を行うように構成されている測位処理部とを具備することを要旨とする。
【００１５】
本発明の第５の特徴は、測位処理ノードであって、移動局の緊急呼発信処理において、該移動局がユーザプレーンを用いた測位方式に対応しているか否かについて示す該移動局の測位能力情報を含む該移動局の測位要求信号を受信するように構成されている受信部と、受信した前記移動局の測位要求信号に応じて、該移動局の測位能力情報及び加入者情報管理ノードに記憶されている該移動局のコントロールプレーン能力に基づいて、コントロールプレーンを用いた測位方式又はユーザプレーンを用いた測位方式のどちらによって、該移動局の測位処理を行うべきかについて決定するように構成されている決定部とを具備することを要旨とする。
【００１６】
本発明の第６の特徴は、測位処理ノードであって、移動局の緊急呼発信処理において、該移動局がユーザプレーンを用いた測位方式に対応しているか否かについて示す該移動局のコントロールプレーン能力を含む測位能力情報を含む該移動局の測位要求信号を受信するように構成されている受信部と、受信した前記移動局の測位要求信号に応じて、該移動局の測位能力情報に基づいて、コントロールプレーンを用いた測位方式又はユーザプレーンを用いた測位方式のどちらによって、該移動局の測位処理を行うべきかについて決定するように構成されている決定部とを具備することを要旨とする。
【００１７】
本発明の第７の特徴は、緊急呼制御ノードであって、移動局の緊急呼発信処理において、該移動局から、該移動局がユーザプレーンを用いた測位方式に対応しているか否かについて示す該移動局の測位能力情報を含む緊急呼発信信号を受信するように構成されている受信部と、前記移動局の緊急呼発信処理において、測位処理ノードに対して、該移動局の測位能力情報を含む該移動局の測位要求信号を送信するように構成されている送信部とを具備することを要旨とする。
【００１８】
本発明の第８の特徴は、緊急呼制御ノードであって、移動局の緊急呼発信処理において、該移動局から、該移動局がユーザプレーンを用いた測位方式に対応しているか否かについて示す該移動局のコントロールプレーン能力を含む測位能力情報を含む緊急呼発信信号を受信するように構成されている受信部と、前記移動局の緊急呼発信処理において、測位処理ノードに対して、該移動局のコントロールプレーン能力を含む測位能力情報を含む該移動局の測位要求信号を送信するように構成されている送信部とを具備することを要旨とする。
【発明の効果】
【００１９】
以上説明したように、本発明によれば、移動局の緊急呼発信処理において、移動局の測位処理に必要な時間を低減することができる移動通信方法、移動局、測位処理ノード及び緊急呼制御ノードを提供することができる。
【図面の簡単な説明】
【００２０】
【図１】本発明の第１の実施形態に係る移動通信システムの全体構成図である。
【図２】本発明の第１の実施形態に係る移動局ＵＥの機能ブロック図である。
【図３】本発明の第１の実施形態に係るノードＧＭＬＣ/ＬＲＦの機能ブロック図である。
【図４】本発明の第１の実施形態に係るノードＥ-ＣＳＣＦの機能ブロック図である。
【図５】本発明の第１の実施形態に係る移動通信システムの動作を示すシーケンス図である。
【図６】本発明の第１の実施形態に係る移動通信システムにおけるＡｔｔａｃｈ/位置登録処理について説明するための図である。
【図７】本発明の第１の実施形態に係る移動通信システムにおける緊急呼発信処理について説明するための図である。
【図８】本発明の第１の実施形態に係るノードＧＭＬＣ/ＬＲＦの動作を示すフローチャートである。
【図９】本発明の第１の実施形態に係るノードＧＭＬＣ/ＬＲＦの動作を示すフローチャートである。
【図１０】本発明の第１の実施形態に係るノードＥ-ＣＳＣＦの動作を示すフローチャートである。
【図１１】本発明の変更例１に係る移動通信システムの動作を示すシーケンス図である。
【図１２】本発明の変更例１に係る移動通信システムにおける緊急呼発信処理について説明するための図である。
【図１３】本発明の変更例１に係るノードＧＭＬＣ/ＬＲＦの動作を示すフローチャートである。
【図１４】本発明の変更例２に係る移動通信システムの全体構成図である。
【図１５】本発明の変更例２に係る移動通信システムの動作を示すシーケンス図である。
【図１６】従来の移動通信システムについて説明するための図である。
【図１７】従来の移動通信システムについて説明するための図である。
【発明を実施するための形態】
【００２１】
（本発明の第１の実施形態に係る移動通信システムの構成）
図１乃至図４を参照して、本発明の第１の実施形態に係る移動通信システムの構成について説明する。
【００２２】
本実施形態に係る移動通信システムは、Ｅ-ＵＴＲＡＮ方式の移動通信システムであり、図１に示すように、ＩＭＳ内のノードＰ-ＣＳＣＦと、ＩＭＳ内のノードＥ-ＣＳＣＦと、ノードＧＭＬＣ/ＬＲＦと、ノードＳＬＰ（ＳＵＰＬ  Ｌｏｃａｔｉｏｎ  Ｐｌａｔｆｏｒｍ）と、ノードＨＳＳ（Ｈｏｍｅ  Ｓｕｂｓｃｒｂｅｒ  Ｓｅｒｖｅｒ）と、ノードＭＭＥ（Ｍｏｂｉｌｉｔｙ  Ｍａｎａｇｅｍｅｎｔ  Ｅｎｔｉｔｙ）と、ノードＥ-ＳＭＬＣ（Ｅ-ＵＴＲＡ  Ｓｅｒｖｉｎｇ  Ｍｏｂｉｌｅ  Ｌｏｃａｔｉｏｎ  Ｃｅｎｔｅｒ）と、無線基地局ｅＮｏｄｅＢとを具備している。
【００２３】
ここで、ノードＰ-ＣＳＣＦは、ＩＭＳ制御を実現するように構成されているＰｒｏｘｙ装置であり、ノードＥ-ＣＳＣＦは、ＩＭＳ緊急呼を制御するように構成されている装置であり、ノードＳＬＰは、ＳＵＰＬ測位方式による測位処理を行うように構成されているネットワーク装置であり、ノードＨＳＳは、各移動局ＵＥの加入者情報を管理するように構成されている加入者情報管理ノードである。
【００２４】
図２に示すように、移動局ＵＥは、Ａｔｔａｃｈ/位置登録処理部１１と、緊急呼発信処理部１２と、測位処理部１３とを具備している。
【００２５】
Ａｔｔａｃｈ/位置登録処理部１１は、移動局ＵＥのＡｔｔａｃｈ/位置登録処理を行うように構成されており、例えば、移動局ＵＥのＡｔｔａｃｈ/位置登録処理において、ノードＨＳＳに、自局のＣ-Ｐｌａｎｅ能力（例えば、Ｃ-Ｐｌａｎｅを用いた測位方式に対応しているか否かについての情報等）を記憶するように構成されている。
【００２６】
緊急呼発信処理部１２は、移動局ＵＥの緊急呼発信処理を行うように構成されており、例えば、移動局ＵＥの緊急呼発信処理において、ノードＥ-ＣＳＣＦに対して、自局がＳＵＰＬ測位方式に対応しているか否かについて示す自局の測位能力情報を通知するように構成されている。
【００２７】
測位処理部１３は、ノードＧＭＬＣ/ＬＲＦからの指示に基づいて、Ｃ-Ｐｌａｎｅを用いた測位方式による自局の測位処理或いはＳＵＰＬ測位方式による自局の測位処理に必要な処理を行うように構成されている。
【００２８】
図３に示すように、ノードＧＭＬＣ/ＬＲＦは、受信部２１と、決定部２２と、測位処理部２３とを具備している。
【００２９】
受信部２１は、移動局ＵＥの緊急呼発信処理において、ノードＥ-ＣＳＣＦから、移動局ＵＥの測位能力情報を含む移動局ＵＥの測位要求信号を受信するように構成されている。
【００３０】
決定部２２は、受信部２１によって受信された移動局ＵＥの測位要求信号に応じて、移動局ＵＥの測位能力情報及びノードＨＳＳに記憶されている移動局ＵＥのＣ-Ｐｌａｎｅ能力に基づいて、Ｃ-Ｐｌａｎｅを用いた測位方式又はＳＵＰＬ測位方式のどちらによって、移動局ＵＥの測位処理を行うべきかについて決定するように構成されている。
【００３１】
測位処理部２３は、決定部２２による決定に従って、Ｃ-Ｐｌａｎｅを用いた測位方式又はＳＵＰＬ測位方式のいずれかによって、移動局ＵＥの測位処理を行うように構成されている。
【００３２】
図４に示すように、ノードＥ-ＣＳＣＦは、ＩＮＶＩＴＥ受信部３１と、Ｓｔａｎｄａｒｄ  Ｌｏｃａｔｉｏｎ  Ｉｍｍｅｄｉａｔｅ  Ｒｅｑｕｅｓｔ送信部３２とを具備している。
【００３３】
ＩＮＶＩＴＥ受信部３１は、移動局ＵＥの緊急呼発信処理において、移動局ＵＥから、移動局ＵＥの測位能力情報を含む緊急呼発信信号としての「ＩＮＶＩＴＥ」を受信するように構成されている。
【００３４】
Ｓｔａｎｄａｒｄ  Ｌｏｃａｔｉｏｎ  Ｉｍｍｅｄｉａｔｅ  Ｒｅｑｕｅｓｔ送信部３２は、移動局ＵＥの緊急呼発信処理において、ノードＧＭＬＣ/ＬＲＦに対して、移動局ＵＥの測位能力情報を含む移動局ＵＥの測位要求信号としての「Ｓｔａｎｄａｒｄ  Ｌｏｃａｔｉｏｎ  Ｉｍｍｅｄｉａｔｅ  Ｒｅｑｕｅｓｔ」を送信するように構成されている。
【００３５】
（本発明の第１の実施形態に係る移動通信システムの動作）
図５乃至図１０を参照して、本発明の第１の実施形態に係る移動通信システムの動作ついて説明する。
【００３６】
第１に、図５及び図６を参照して、移動局ＵＥのＡｔｔａｃｈ/位置登録処理について説明する。
【００３７】
図５及び図６に示すように、ステップＳ１００１（ステップＡ１）において、移動局ＵＥは、ノードＭＭＥに対して、移動局ＵＥのＣ-Ｐｌａｎｅ能力を含む「Ａｔｔａｃｈ  Ｒｅｑｕｅｓｔ（Ａｔｔａｃｈ要求信号）」又は「Ｔｒａｃｋｉｎｇ  Ａｒｅａ  Ｕｐｄａｔｅ  Ｒｅｑｕｅｓｔ（ＴＡ更新要求信号）」を送信する。
【００３８】
ステップＳ１００２において、ノードＭＭＥは、かかる移動局ＵＥのＣ-Ｐｌａｎｅ能力を記憶する。
【００３９】
ステップＳ１００３（ステップＡ２）において、ノードＭＭＥは、ノードＨＳＳに対して、移動局ＵＥのＣ-Ｐｌａｎｅ能力及びノードＭＭＥのＣ-Ｐｌａｎｅ能力を含む「Ｕｐｄａｔｅ  Ｌｏｃａｔｉｏｎ  Ｒｅｑｕｅｓｔ」を送信する。
【００４０】
ステップＳ１００４において、ノードＨＳＳは、かかる移動局ＵＥのＣ-Ｐｌａｎｅ能力及びノードＭＭＥのＣ-Ｐｌａｎｅ能力を記憶する。
【００４１】
ステップＳ１００５（ステップＡ３）において、ノードＨＳＳは、ノードＭＭＥに対して、「Ｕｐｄａｔｅ  Ｌｏｃａｔｉｏｎ  Ａｎｓｗｅｒ」を送信する。
【００４２】
ステップＳ１００６（ステップＡ４）において、ノードＭＭＥは、移動局ＵＥに対して、「Ａｔｔａｃｈ  Ａｃｃｅｐｔ」又は「ＴＡＵ  Ａｃｃｅｐｔ」を送信する。
【００４３】
第２に、図５、図７及び図８を参照して、移動局ＵＥの緊急呼発信処理について説明する。
【００４４】
図５におけるステップＳ１１０１（ステップＢ１）において、移動局ＵＥは、ノードＰ-ＣＳＣＦに対して、移動局ＵＥの測位能力情報を含む「ＩＮＶＩＴＥ」を送信する。
【００４５】
図５におけるステップＳ１１０２（ステップＢ２）において、ノードＰ-ＣＳＣＦは、ノードＥ-ＣＳＣＦに対して、移動局ＵＥの測位能力情報を含む「ＩＮＶＩＴＥ」を送信する。
【００４６】
ここで、図８に示すように、ノードＥ-ＣＳＣＦは、ステップＳ２０１において、「ＩＮＶＩＴＥ」を受信すると、ステップＳ２０２において、かかる「ＩＮＶＩＴＥ」に含まれている移動局ＵＥの測位能力情報に基づいて、移動局ＵＥがＳＵＰＬ測位方式に対応しているか否かについて判断する。
【００４７】
ノードＥ-ＣＳＣＦは、移動局ＵＥがＳＵＰＬ測位方式に対応していると判断した場合、ステップＳ２０３において、移動局ＵＥがＳＵＰＬ測位方式に対応していることを示す移動局ＵＥの測位能力情報（例えば、「ＳＵＰＬ能力あり」）を「Ｓｔａｎｄａｒｄ  Ｌｏｃａｔｉｏｎ  Ｉｍｍｅｄｉａｔｅ  Ｒｅｑｕｅｓｔ」に設定する。
【００４８】
一方、ノードＥ-ＣＳＣＦは、移動局ＵＥがＳＵＰＬ測位方式に対応していないと判断した場合、ステップＳ２０４において、移動局ＵＥがＳＵＰＬ測位方式に対応していることを示す移動局ＵＥの測位能力情報（例えば、「ＳＵＰＬ能力あり」）を「Ｓｔａｎｄａｒｄ  Ｌｏｃａｔｉｏｎ  Ｉｍｍｅｄｉａｔｅ  Ｒｅｑｕｅｓｔ」に設定しない。
【００４９】
図５におけるステップＳ１１０３（ステップＢ３）において、ノードＥ-ＣＳＣＦは、ノードＧＭＬＣ/ＬＲＦに対して、上述の「Ｓｔａｎｄａｒｄ  Ｌｏｃａｔｉｏｎ  Ｉｍｍｅｄｉａｔｅ  Ｒｅｑｕｅｓｔ」を送信する。
【００５０】
その後、図５におけるステップＳ１２０１において、ノードＧＭＬＣ/ＬＲＦは、受信した「Ｓｔａｎｄａｒｄ  Ｌｏｃａｔｉｏｎ  Ｉｍｍｅｄｉａｔｅ  Ｒｅｑｕｅｓｔ」に応じて、Ｃ-Ｐｌａｎｅを用いた測位方式又はＳＵＰＬ測位方式のどちらによって、移動局ＵＥの測位処理を行うべきかについて決定する。
【００５１】
具体的には、ノードＧＭＬＣ/ＬＲＦは、図９に示すように、ステップＳ１０１において、ノードＥ-ＣＳＣＦから「Ｓｔａｎｄａｒｄ  Ｌｏｃａｔｉｏｎ  Ｉｍｍｅｄｉａｔｅ  Ｒｅｑｕｅｓｔ」を受信すると、ステップＳ１０２において、自身が移動局ＵＥのホーム網に設けられているノードＨ-ＧＭＬＣ/ＬＲＦであるか否かについて、すなわち、移動局ＵＥがホーム網に在圏しているか否かについて判定する。
【００５２】
判定結果が「Ｙｅｓ」である場合、本動作は、ステップＳ１０３に進み、判定結果が「Ｎｏ」である場合、本動作は、図１０のステップＳ１２１に進む。
【００５３】
ステップＳ１０３において、ノードＧＭＬＣ/ＬＲＦは、移動局ＵＥの在圏網が、ＳＵＰＬ測位方式に対応しており、かつ、ＳＵＰＬ測位方式を許容しているか否かについて判定する。
【００５４】
判定結果が「Ｙｅｓ」である場合、本動作は、ステップＳ１０４に進み、判定結果が「Ｎｏ」である場合、本動作は、ステップＳ１０６に進む。
【００５５】
ステップＳ１０５において、ノードＧＭＬＣ/ＬＲＦは、ＳＵＰＬ測位方式によって、移動局ＵＥの測位処理を行うべきであると決定する。
【００５６】
かかる場合、具体的には、図５のステップＳ１５０１乃至Ｓ１５０３の動作によって、ＳＵＰＬ測位方式による移動局ＵＥの測位処理が行われる。
【００５７】
ステップＳ１０６において、ノードＧＭＬＣ/ＬＲＦは、自身がＣ-Ｐｌａｎｅをサポートしているか否かについて判定する。
【００５８】
判定結果が「Ｙｅｓ」である場合、本動作は、ステップＳ１０７に進み、判定結果が「Ｎｏ」である場合、本動作は、ステップＳ１１２に進む。
【００５９】
ステップＳ１０７において、ノードＧＭＬＣ/ＬＲＦは、ノードＨＳＳに対して、移動局ＵＥの在圏状況を問い合わせる。
【００６０】
具体的には、図５に示すように、ノードＧＭＬＣ/ＬＲＦは、ステップＳ１３０１において、ノードＨＳＳに対して、移動局ＵＥの在圏状況の問い合わせを行うと、ステップＳ１３０２において、問い合わせ応答を介して移動局ＵＥ及びノードＭＭＥのＣ-Ｐｌａｎｅ能力を取得する。
【００６１】
ステップＳ１０８において、ノードＧＭＬＣ/ＬＲＦは、移動局ＵＥが在圏しているノードＭＭＥがＣ-Ｐｌａｎｅをサポートしているか否かについて判定する。
【００６２】
判定結果が「Ｙｅｓ」である場合、本動作は、ステップＳ１０９に進み、判定結果が「Ｎｏ」である場合、本動作は、ステップＳ１１２に進む。
【００６３】
ステップＳ１０９において、ノードＧＭＬＣ/ＬＲＦは、移動局ＵＥがＣ-Ｐｌａｎｅをサポートしているか否かについて判定する。
【００６４】
ノードＧＭＬＣ/ＬＲＦは、判定結果が「Ｙｅｓ」である場合、ステップＳ１１０において、移動局ＵＥ側のＣ-Ｐｌａｎｅを用いた測位方式によって、移動局ＵＥの測位処理を行うべきであると決定する。
【００６５】
かかる場合、具体的には、図５のステップＳ１４０１乃至Ｓ１４０３の動作によって、移動局ＵＥ側のＣ-Ｐｌａｎｅを用いた測位方式による移動局ＵＥの測位処理が行われる。
【００６６】
一方、ノードＧＭＬＣ/ＬＲＦは、判定結果が「Ｎｏ」である場合、ステップＳ１１１において、ノードＭＭＥ側のＣ-Ｐｌａｎｅを用いた測位方式によって、移動局ＵＥの測位処理を行うべきであると決定する。
【００６７】
かかる場合、具体的には、図５のステップＳ１４０１乃至Ｓ１４０３の動作によって、ノードＭＭＥ側のＣ-Ｐｌａｎｅを用いた測位方式による移動局ＵＥの測位処理が行われる。
【００６８】
ステップＳ１１２において、ノードＧＭＬＣ/ＬＲＦは、移動局ＵＥの測位処理が不可能であると決定する。
【００６９】
ステップＳ１２１において、ノードＧＭＬＣ/ＬＲＦは、移動局ＵＥの在圏網が、ＳＵＰＬ測位方式に対応しており、かつ、ＳＵＰＬ測位方式を許容しているか否かについて判定する。
【００７０】
判定結果が「Ｙｅｓ」である場合、本動作は、ステップＳ１２２に進み、判定結果が「Ｎｏ」である場合、本動作は、ステップＳ１２４に進む。
【００７１】
ステップＳ１２２において、ノードＧＭＬＣ/ＬＲＦは、移動局ＵＥがＳＵＰＬ測位方式に対応しているか否かについて判定する。
【００７２】
判定結果が「Ｙｅｓ」である場合、本動作は、ステップＳ１２３に進み、判定結果が「Ｎｏ」である場合、本動作は、ステップＳ１２４に進む。
【００７３】
ステップＳ１２３において、ノードＧＭＬＣ/ＬＲＦは、ＳＵＰＬ測位方式によって、移動局ＵＥの測位処理を行うべきであると決定する。
【００７４】
かかる場合、具体的には、図５のステップＳ１５０１乃至Ｓ１５０３の動作によって、ＳＵＰＬ測位方式による移動局ＵＥの測位処理が行われる。
【００７５】
ステップＳ１２４において、ノードＧＭＬＣ/ＬＲＦは、自身がＣ-Ｐｌａｎｅをサポートしているか否かについて判定する。
【００７６】
判定結果が「Ｙｅｓ」である場合、本動作は、ステップＳ１２５に進み、判定結果が「Ｎｏ」である場合、本動作は、ステップＳ１２８に進む。
【００７７】
ステップＳ１２５において、ノードＧＭＬＣ/ＬＲＦは、ノードＭＭＥ側のＣ-Ｐｌａｎｅを用いた測位方式によって、移動局ＵＥの測位処理を行うべきであると決定する。
【００７８】
かかる場合、具体的には、図５のステップＳ１４０１乃至Ｓ１４０３の動作によって、ノードＭＭＥ側のＣ-Ｐｌａｎｅを用いた測位方式による移動局ＵＥの測位処理が行われる。
【００７９】
ステップＳ１２６において、ノードＧＭＬＣ/ＬＲＦは、ノードＭＭＥ側のＣ-Ｐｌａｎｅを用いた測位方式による移動局ＵＥの測位処理が成功したか否かについて判定する。
【００８０】
判定結果が「Ｙｅｓ」である場合、本動作は、ステップＳ１２７に進み、判定結果が「Ｎｏ」である場合、本動作は、ステップＳ１２８に進む。
【００８１】
ステップＳ１２７において、ノードＧＭＬＣ/ＬＲＦは、ノードＭＭＥ側のＣ-Ｐｌａｎｅを用いた測位方式による移動局ＵＥの測位処理による測定精度が十分であるか否かについて判定する。
【００８２】
判定結果が「Ｙｅｓ」である場合、本動作は、終了し、判定結果が「Ｎｏ」である場合、本動作は、ステップＳ１２８に進む。
【００８３】
ステップＳ１２８において、ノードＧＭＬＣ/ＬＲＦは、移動局ＵＥの測位処理が不可能であると決定する。
【００８４】
その後、ステップＳ１６０１において、ノードＧＭＬＣ/ＬＲＦは、上述の測位処理の結果である移動局ＵＥの位置情報を含む「Ｓｔａｎｄａｒｄ  Ｌｏｃａｔｉｏｎ  Ｉｍｍｅｄｉａｔｅ  Ｒｅｐｏｒｔ」を、ノードＥ-ＣＳＣＦに対して送信する。
【００８５】
ステップＳ１６０２において、ノードＥ-ＣＳＣＦは、緊急機関に対して、かかる移動局ＵＥの位置情報を通知する。
【００８６】
（本発明の第１の実施形態に係る移動通信システムの作用・効果）
本発明の第１の実施形態に係る移動通信システムによれば、ノードＧＭＬＣ/ＬＲＦが、移動局ＵＥの能力に応じて、移動局ＵＥの測位処理に用いる測位方式を特定することができるので、測位処理の完了までに要する時間を短縮することができる。
【００８７】
本発明の第１の実施形態に係る移動通信システムによれば、移動局ＵＥが、ローミング中であっても、移動局ＵＥの在圏網に閉じて、移動局ＵＥの測位処理に用いる測位方式を特定することができる。
【００８８】
（変更例１）
図１１乃至図１３を参照して、本発明の変更例１に係る移動通信システムについて説明する。以下、本発明の変更例１に係る移動通信システムについて、上述の第１の実施形態に係る移動通信システムとの相違点に着目して説明する。
【００８９】
移動局ＵＥの緊急呼発信処理部１２は、移動局ＵＥの緊急呼発信処理において、ノードＥ-ＣＳＣＦに対して、移動局ＵＥのＣ-Ｐｌａｎｅ能力を含む測位能力情報を通知するように構成されている。
【００９０】
また、ノードＧＭＬＣ/ＬＲＦの受信部２１は、移動局ＵＥの緊急呼発信処理において、移動局ＵＥのＣ-Ｐｌａｎｅ能力を含む測位能力情報を含む移動局ＵＥの測位要求信号を受信するように構成されている。
【００９１】
ノードＧＭＬＣ/ＬＲＦの決定部２２は、受信部２１によって受信された移動局ＵＥの測位要求信号に含まれる移動局ＵＥの測位能力情報に基づいて、Ｃ-Ｐｌａｎｅを用いた測位方式又はＳＵＰＬ測位方式のどちらによって、移動局ＵＥの測位処理を行うべきかについて決定するように構成されている。
【００９２】
さらに、ノードＥ-ＣＳＣＦのＩＮＶＩＴＥ受信部３１は、移動局ＵＥの緊急呼発信処理において、移動局ＵＥから、移動局ＵＥのＣ-Ｐｌａｎｅ能力を含む測位能力情報を含む「ＩＮＶＩＴＥ」を受信するように構成されている。
【００９３】
ノードＥ-ＣＳＣＦのＳｔａｎｄａｒｄ  Ｌｏｃａｔｉｏｎ  Ｉｍｍｅｄｉａｔｅ  Ｒｅｑｕｅｓｔ送信部３２は、移動局ＵＥの緊急呼発信処理において、ノードＧＭＬＣ/ＬＲＦに対して、移動局ＵＥのＣ-Ｐｌａｎｅ能力を含む測位能力情報を含む「Ｓｔａｎｄａｒｄ  Ｌｏｃａｔｉｏｎ  Ｉｍｍｅｄｉａｔｅ  Ｒｅｑｕｅｓｔ」を送信するように構成されている。
【００９４】
以下、図１１乃至図１３を参照して、本変更例１に係る移動通信システムの動作について説明する。
【００９５】
図１１に示すように、ステップＳ２００１乃至Ｓ２００４の動作は、図５に示すステップＳ１００１乃至Ｓ１００４の動作と同一である。
【００９６】
次に、図１１及び図１２を参照して、移動局ＵＥの緊急呼発信処理について説明する。
【００９７】
図１１におけるステップＳ２１０１（ステップＣ１）において、移動局ＵＥは、ノードＰ-ＣＳＣＦに対して、移動局ＵＥのＣ-Ｐｌａｎｅ能力を含む測位能力情報を含む「ＩＮＶＩＴＥ」を送信する。
【００９８】
図１１におけるステップＳ２１０２（ステップＣ２）において、ノードＰ-ＣＳＣＦは、ノードＥ-ＣＳＣＦに対して、移動局ＵＥのＣ-Ｐｌａｎｅ能力を含む測位能力情報を含む「ＩＮＶＩＴＥ」を送信する。
【００９９】
図１１におけるステップＳ２１０３（ステップＣ３）において、ノードＥ-ＣＳＣＦは、ノードＧＭＬＣ/ＬＲＦに対して、移動局ＵＥのＣ-Ｐｌａｎｅ能力を含む測位能力情報を含む「Ｓｔａｎｄａｒｄ  Ｌｏｃａｔｉｏｎ  Ｉｍｍｅｄｉａｔｅ  Ｒｅｑｕｅｓｔ」を送信する。
【０１００】
その後、図１１におけるステップＳ２２０１において、ノードＧＭＬＣ/ＬＲＦは、受信した「Ｓｔａｎｄａｒｄ  Ｌｏｃａｔｉｏｎ  Ｉｍｍｅｄｉａｔｅ  Ｒｅｑｕｅｓｔ」に応じて、Ｃ-Ｐｌａｎｅを用いた測位方式又はＳＵＰＬ測位方式のどちらによって、移動局ＵＥの測位処理を行うべきかについて決定する。
【０１０１】
具体的には、ノードＧＭＬＣ/ＬＲＦは、図９及び図１３に示す動作によって、図１１に示すステップＳ２２０１乃至Ｓ２５０３の動作を行う。
【０１０２】
図１３に示すように、ステップＳ３０１において、ノードＧＭＬＣ/ＬＲＦは、移動局ＵＥの在圏網が、ＳＵＰＬ測位方式に対応しており、かつ、ＳＵＰＬ測位方式を許容しているか否かについて判定する。
【０１０３】
判定結果が「Ｙｅｓ」である場合、本動作は、ステップＳ３０２に進み、判定結果が「Ｎｏ」である場合、本動作は、ステップＳ３０４に進む。
【０１０４】
ステップＳ３０２において、ノードＧＭＬＣ/ＬＲＦは、移動局ＵＥがＳＵＰＬ測位方式に対応しているか否かについて判定する。
【０１０５】
判定結果が「Ｙｅｓ」である場合、本動作は、ステップＳ３０３に進み、判定結果が「Ｎｏ」である場合、本動作は、ステップＳ３０４に進む。
【０１０６】
ステップＳ３０３において、ノードＧＭＬＣ/ＬＲＦは、ＳＵＰＬ測位方式によって、移動局ＵＥの測位処理を行うべきであると決定する。
【０１０７】
かかる場合、具体的には、図１１のステップＳ２５０１乃至Ｓ２５０３の動作によって、ＳＵＰＬ測位方式による移動局ＵＥの測位処理が行われる。
【０１０８】
ステップＳ３０４において、ノードＧＭＬＣ/ＬＲＦは、自身がＣ-Ｐｌａｎｅをサポートしているか否かについて判定する。
【０１０９】
判定結果が「Ｙｅｓ」である場合、本動作は、ステップＳ３０５に進み、判定結果が「Ｎｏ」である場合、本動作は、ステップＳ３１０に進む。
【０１１０】
ステップＳ３０５において、ノードＧＭＬＣ/ＬＲＦは、移動局ＵＥがＣ-Ｐｌａｎｅをサポートしているか否かについて判定する。
【０１１１】
判定結果が「Ｙｅｓ」である場合、本動作は、ステップＳ３０６に進み、判定結果が「Ｎｏ」である場合、本動作は、ステップＳ３０７に進む。
【０１１２】
ステップＳ３０６において、ノードＧＭＬＣ/ＬＲＦは、移動局ＵＥ側のＣ-Ｐｌａｎｅを用いた測位方式によって、移動局ＵＥの測位処理を行うべきであると決定する。
【０１１３】
かかる場合、具体的には、図１１のステップＳ２４０１乃至Ｓ２４０３の動作によって、移動局ＵＥ側のＣ-Ｐｌａｎｅを用いた測位方式による移動局ＵＥの測位処理が行われる。
【０１１４】
一方、ステップＳ３０７において、ノードＧＭＬＣ/ＬＲＦは、ノードＭＭＥ側のＣ-Ｐｌａｎｅを用いた測位方式によって、移動局ＵＥの測位処理を行うべきであると決定する。
【０１１５】
かかる場合、具体的には、図１１のステップＳ２４０１乃至Ｓ２４０３の動作によって、ノードＭＭＥ側のＣ-Ｐｌａｎｅを用いた測位方式による移動局ＵＥの測位処理が行われる。
【０１１６】
ステップＳ３０８において、ノードＧＭＬＣ/ＬＲＦは、上述のＣ-Ｐｌａｎｅを用いた測位方式による移動局ＵＥの測位処理が成功したか否かについて判定する。
【０１１７】
判定結果が「Ｙｅｓ」である場合、本動作は、ステップＳ３０９に進み、判定結果が「Ｎｏ」である場合、本動作は、ステップＳ３１０に進む。
【０１１８】
ステップＳ３０９において、ノードＧＭＬＣ/ＬＲＦは、上述のＣ-Ｐｌａｎｅを用いた測位方式による移動局ＵＥの測位処理による測定精度が十分であるか否かについて判定する。
【０１１９】
判定結果が「Ｙｅｓ」である場合、本動作は、終了し、判定結果が「Ｎｏ」である場合、本動作は、ステップＳ３１０に進む。
【０１２０】
ステップＳ３１０において、ノードＧＭＬＣ/ＬＲＦは、移動局ＵＥの測位処理が不可能であると決定する。
【０１２１】
その後、図１１におけるステップＳ２６０１において、ノードＧＭＬＣ/ＬＲＦは、上述の測位処理の結果である移動局ＵＥの位置情報を含む「Ｓｔａｎｄａｒｄ  Ｌｏｃａｔｉｏｎ  Ｉｍｍｅｄｉａｔｅ  Ｒｅｑｕｅｓｔ」を、ノードＥ-ＣＳＣＦに対して送信する。
【０１２２】
図１１におけるステップＳ２６０２において、ノードＥ-ＣＳＣＦは、緊急機関に対して、かかる移動局ＵＥの位置情報を通知する。
【０１２３】
（変更例２）
図１４及び図１５を参照して、本発明の変更例２に係る移動通信システムについて説明する。以下、本発明の変更例２に係る移動通信システムについて、上述の第１の実施形態に係る移動通信システムとの相違点に着目して説明する。
【０１２４】
図１４に示すように、本変更例２に係る移動通信システムでは、ノードＳＬＰとノードＥ-ＳＭＬＣとが併合ノードを形成している。
【０１２５】
以下、図１５を参照して、本変更例２に係る移動通信システムの動作ついて説明する。
【０１２６】
図１５に示すように、ステップＳ３００１乃至Ｓ３００４の動作は、図５に示すステップＳ１００１乃至Ｓ１００４の動作と同一であり、ステップＳ３１０１乃至Ｓ３１０３の動作は、図５に示すステップＳ１１０１乃至Ｓ１１０３の動作と同一である。
【０１２７】
ノードＧＭＬＣ/ＬＲＦは、ステップＳ３２０１において、ノードＨＳＳに対して、移動局ＵＥの在圏状況の問い合わせを行い、ステップＳ３２０２において、問い合わせ応答を介して移動局ＵＥ及びノードＭＭＥのＣ-Ｐｌａｎｅ能力を取得する。
【０１２８】
ステップＳ３２０３において、ノードＧＭＬＣ/ＬＲＦは、移動局ＵＥのアクセス種別を判定する。
【０１２９】
移動局ＵＥのアクセス種別が「ＬＴＥ（Ｌｏｎｇ  Ｔｅｒｍ  Ｅｖｏｌｕｔｉｏｎ）方式」である場合、ステップＳ３３０１において、ノードＧＭＬＣ/ＬＲＦは、交換局ＭＭＥに対して、移動局ＵＥの測位能力情報を含む移動局ＵＥの測位要求信号を送信する。
【０１３０】
ステップＳ３３０２において、交換局ＭＭＥは、ノードＥ-ＳＭＬＣに対して、移動局ＵＥの測位能力情報を含む移動局ＵＥの測位要求信号を送信する。
【０１３１】
ステップＳ３３０４において、ノードＥ-ＳＭＬＣは、受信した移動局ＵＥの測位要求信号に応じて、Ｃ-Ｐｌａｎｅを用いた測位方式又はＳＵＰＬ測位方式のどちらによって、移動局ＵＥの測位処理を行うべきかについて決定する。
【０１３２】
ノードＥ-ＳＭＬＣは、ＳＵＰＬ測位方式による移動局ＵＥの測位処理を行うべきであると決定した場合、具体的には、図１５のステップＳ３４０１乃至Ｓ３４０３の動作によって、ＳＵＰＬ測位方式による移動局ＵＥの測位処理が行われる。
【０１３３】
一方、ノードＥ-ＳＭＬＣは、Ｃ-Ｐｌａｎｅを用いた測位方式による移動局ＵＥの測位処理を行うべきであると決定した場合、具体的には、図１５のステップＳ３５０１の動作によって、Ｃ-Ｐｌａｎｅを用いた測位方式による移動局ＵＥの測位処理が行われる。
【０１３４】
ステップＳ３６０１において、ノードＥ-ＳＭＬＣは、ノードＭＭＥに対して、移動局ＵＥの位置情報（測位結果）を含む測位応答を送信し、ステップＳ３６０２において、ノードＭＭＥは、ノードＧＭＬＣ/ＬＲＦに対して、移動局ＵＥの位置情報（測位結果）を含む測位応答を送信する。
【０１３５】
ステップＳ３６０３において、ノードＧＭＬＣ/ＬＲＦは、上述の測位処理の結果である移動局ＵＥの位置情報を含む「Ｓｔａｎｄａｒｄ  Ｌｏｃａｔｉｏｎ  Ｉｍｍｅｄｉａｔｅ  Ｒｅｐｏｒｔ」を、ノードＥ-ＣＳＣＦに対して送信する。
【０１３６】
ステップＳ３６０４において、ノードＥ-ＣＳＣＦは、緊急機関に対して、かかる移動局ＵＥの位置情報を通知する。
【０１３７】
以上に述べた本実施形態の特徴は、以下のように表現されていてもよい。
【０１３８】
本実施形態の第１の特徴は、移動通信方法であって、移動局ＵＥのＡｔｔａｃｈ/位置登録処理において、ノードＨＳＳ（加入者情報管理ノード）に、移動局ＵＥのＣ-Ｐｌａｎｅ能力（コントロールプレーン能力）を記憶する工程と、移動局ＵＥの緊急呼発信処理において、移動局ＵＥが、ノードＥ-ＣＳＣＦ（緊急呼制御ノード）に対して、移動局ＵＥがＳＵＰＬ測位方式（Ｕ-Ｐｌａｎｅ（ユーザプレーン）を用いた測位方式）に対応しているか否かについて示す移動局ＵＥの測位能力情報を含む緊急呼発信信号を送信する工程と、移動局ＵＥの緊急呼発信処理において、ノードＥ-ＣＳＣＦが、ノードＧＭＬＣ/ＬＲＦ（測位処理ノード）に対して、移動局ＵＥの測位能力情報を含む「Ｓｔａｎｄａｒｄ  Ｌｏｃａｔｉｏｎ  Ｉｍｍｅｄｉａｔｅ  Ｒｅｑｕｅｓｔ（移動局の測位要求信号）」を送信する工程と、ノードＧＭＬＣ/ＬＲＦが、受信した移動局ＵＥの測位要求信号に応じて、移動局ＵＥの測位能力情報及びノードＨＳＳに記憶されている移動局ＵＥのＣ-Ｐｌａｎｅ能力に基づいて、Ｃ-Ｐｌａｎｅ（コントロールプレーン）を用いた測位方式又はＳＵＰＬ測位方式のどちらによって、移動局ＵＥの測位処理を行うべきかについて決定する工程とを有することを要旨とする。
【０１３９】
本実施形態の第２の特徴は、移動通信方法であって、移動局ＵＥの緊急呼発信処理において、移動局ＵＥが、ノードＥ-ＣＳＣＦに対して、移動局ＵＥがＳＵＰＬ測位方式に対応しているか否かについて示す移動局ＵＥのＣ-Ｐｌａｎｅ能力を含む測位能力情報を含む緊急呼発信信号を送信する工程と、移動局の緊急呼発信処理において、移動局ＵＥが、ノードＧＭＬＣ/ＬＲＦに対して、移動局ＵＥのＣ-Ｐｌａｎｅ能力を含む測位能力情報を含む移動局ＵＥの測位要求信号を送信する工程と、ノードＧＭＬＣ/ＬＲＦが、受信した移動局ＵＥの測位要求信号に応じて、移動局ＵＥの測位能力情報に基づいて、Ｃ-Ｐｌａｎｅを用いた測位方式又はＳＵＰＬ測位方式のどちらによって、移動局ＵＥの測位処理を行うべきかについて決定する工程とを有することを要旨とする。
【０１４０】
本実施形態の第３の特徴は、移動局ＵＥであって、Ａｔｔａｃｈ/位置登録処理において、ノードＨＳＳに、自局のＣ-Ｐｌａｎｅ能力を記憶するように構成されているＡｔｔａｃｈ/位置登録処理部１１と、緊急呼発信処理において、ノードＥ-ＣＳＣＦに対して、自局がＳＵＰＬ測位方式に対応しているか否かについて示す自局の測位能力情報を通知するように構成されている緊急呼発信処理部１２と、ノードＧＭＬＣ/ＬＲＦからの指示に基づいて、Ｃ-Ｐｌａｎｅを用いた測位方式による自局の測位処理或いはＳＵＰＬ測位方式による自局の測位処理に必要な処理を行うように構成されている測位処理部１３とを具備することを要旨とする。
【０１４１】
本実施形態の第４の特徴は、移動局ＵＥであって、緊急呼発信処理において、ノードＥ-ＣＳＣＦに対して、自局がＳＵＰＬ測位方式に対応しているか否かについて示す自局のＣ-Ｐｌａｎｅ能力を含む測位能力情報を通知するように構成されている緊急呼発信処理部１２と、ノードＥ-ＣＳＣＦからの指示に基づいて、Ｃ-Ｐｌａｎｅを用いた測位方式による自局の測位処理或いはＳＵＰＬ測位方式による自局の測位処理に必要な処理を行うように構成されている測位処理部１３とを具備することを要旨とする。
【０１４２】
本実施形態の第５の特徴は、ノードＧＭＬＣ/ＬＲＦであって、移動局ＵＥの緊急呼発信処理において、移動局ＵＥがＳＵＰＬ測位方式に対応しているか否かについて示す移動局ＵＥの測位能力情報を含む移動局ＵＥの測位要求信号を受信するように構成されている受信部２１と、受信した移動局ＵＥの測位要求信号に応じて、移動局ＵＥの測位能力情報及びノードＨＳＳに記憶されている移動局ＵＥのＣ-Ｐｌａｎｅ能力に基づいて、Ｃ-Ｐｌａｎｅを用いた測位方式又はＳＵＰＬ測位方式のどちらによって、移動局ＵＥの測位処理を行うべきかについて決定するように構成されている決定部２２とを具備することを要旨とする。
【０１４３】
本実施形態の第６の特徴は、ノードＧＭＬＣ/ＬＲＦであって、移動局ＵＥの緊急呼発信処理において、移動局ＵＥがＳＵＰＬ測位方式に対応しているか否かについて示す移動局ＵＥのＣ-Ｐｌａｎｅ能力を含む測位能力情報を含む移動局ＵＥの測位要求信号を受信するように構成されている受信部２１と、受信した移動局ＵＥの測位要求信号に応じて、移動局ＵＥの測位能力情報に基づいて、Ｃ-Ｐｌａｎｅを用いた測位方式又はＳＵＰＬ測位方式のどちらによって、移動局ＵＥの測位処理を行うべきかについて決定するように構成されている決定部２２とを具備することを要旨とする。
【０１４４】
本実施形態の第７の特徴は、ノードＥ-ＣＳＣＦであって、移動局ＵＥの緊急呼発信処理において、移動局ＵＥから、移動局ＵＥがＳＵＰＬ測位方式に対応しているか否かについて示す移動局ＵＥの測位能力情報を含む「ＩＮＶＩＴＥ（緊急呼発信信号）」を受信するように構成されているＩＮＶＩＴＥ受信部３１と、移動局ＵＥの緊急呼発信処理において、ノードＧＭＬＣ/ＬＲＦに対して、移動局ＵＥの測位能力情報を含む「Ｓｔａｎｄａｒｄ  Ｌｏｃａｔｉｏｎ  Ｉｍｍｅｄｉａｔｅ  Ｒｅｑｕｅｓｔ（移動局の測位要求信号）」を送信するように構成されているＳｔａｎｄａｒｄ  Ｌｏｃａｔｉｏｎ  Ｉｍｍｅｄｉａｔｅ  Ｒｅｑｕｅｓｔ送信部３２とを具備することを要旨とする。
【０１４５】
本実施形態の第８の特徴は、ノードＥ-ＣＳＣＦであって、移動局ＵＥの緊急呼発信処理において、移動局ＵＥから、移動局ＵＥがＳＵＰＬ測位方式に対応しているか否かについて示す移動局ＵＥのＣ-Ｐｌａｎｅ能力を含む測位能力情報を含む「ＩＮＶＩＴＥ（緊急呼発信信号）」を受信するように構成されているＩＮＶＩＴＥ受信部３１と、移動局ＵＥの緊急呼発信処理において、ノードＧＭＬＣ/ＬＲＦに対して、移動局ＵＥのＣ-Ｐｌａｎｅ能力を含む測位能力情報を含む「Ｓｔａｎｄａｒｄ  Ｌｏｃａｔｉｏｎ  Ｉｍｍｅｄｉａｔｅ  Ｒｅｑｕｅｓｔ（移動局の測位要求信号）」を送信するように構成されているＳｔａｎｄａｒｄ  Ｌｏｃａｔｉｏｎ  Ｉｍｍｅｄｉａｔｅ  Ｒｅｑｕｅｓｔ送信部３２とを具備することを要旨とする。
【０１４６】
なお、上述の移動局ＵＥや無線基地局ｅＮｏｄｏＢやノードＰ-ＣＤＣＦ、Ｅ-ＣＳＣＦ、ＧＭＬＣ/ＬＲＦ、ＳＬＰ、ＨＳＳ、ＭＭＥ、Ｅ-ＳＭＬＣの動作は、ハードウェアによって実施されてもよいし、プロセッサによって実行されるソフトウェアモジュールによって実施されてもよいし、両者の組み合わせによって実施されてもよい。
【０１４７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮｏｄｏＢやノードＰ-ＣＤＣＦ、Ｅ-ＣＳＣＦ、ＧＭＬＣ/ＬＲＦ、ＳＬＰ、ＨＳＳ、ＭＭＥ、Ｅ-ＳＭＬＣ内に設けられていてもよい。また、かかる記憶媒体及びプロセッサは、ディスクリートコンポーネントとして移動局ＵＥや無線基地局ｅＮｏｄｏＢやノードＰ-ＣＤＣＦ、Ｅ-ＣＳＣＦ、ＧＭＬＣ/ＬＲＦ、ＳＬＰ、ＨＳＳ、ＭＭＥ、Ｅ-ＳＭＬＣ内に設けられていてもよい。
【０１４９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１５０】
ＵＥ…無線基地局
１１…Ａｔｔａｃｈ/位置登録処理部
１２…緊急呼発信処理部
１３、２３…測位処理部
ＧＭＬＣ/ＬＲＦ、Ｅ-ＣＳＣＦ…ノード
２１…受信部
２２…決定部
３１…ＩＮＶＩＴＥ受信部
３２…Ｓｔａｎｄａｒｄ  Ｌｏｃａｔｉｏｎ  Ｉｍｍｉｄｉａｔｅ  Ｒｅｑｕｅｓｔ送信部
【図１】
2011045038.tif 000003
【図２】
2011045038.tif 000004
【図３】
2011045038.tif 000005
【図４】
2011045038.tif 000006
【図５】
2011045038.tif 000007
【図６】
2011045038.tif 000008
【図７】
2011045038.tif 000009
【図８】
2011045038.tif 000010
【図９】
2011045038.tif 000011
【図１０】
2011045038.tif 000012
【図１１】
2011045038.tif 000013
【図１２】
2011045038.tif 000014
【図１３】
2011045038.tif 000015
【図１４】
2011045038.tif 000016
【図１５】
2011045038.tif 000017
【図１６】
2011045038.tif 000018
【図１７】
2011045038.tif 000019